(57)【特許請求の範囲】
【請求項１】
オキシデーションディッチの曲部箇所の隔壁に近接して設置される縦型のオキシデーションディッチ用エアレータにおいて、該エアレータは正逆回転可能であって、該エアレータのインペラの撹拌羽根は、該撹拌羽根の先端部がインペラの回転方向に向かう断面くの字状斜面部に加えて、前記インペラの回転方向と反対方向に向かって斜面部を設けて、断面Ｙ字状に形成されていることを特徴とするオキシデーションディッチ用エアレータ。
【発明の詳細な説明】
【０００１】
【産業上の利用分野】
本発明は、下水処理施設に関し、特にオキシデーションディッチにおける活性汚泥の沈積を解消する方法と、該方法を実施するためのエアレータに関する。
【０００２】
【従来の技術】
図３は下水をオキシデーションディッチ法により処理する公知のオキシデーションディッチの概略平面図である。オキシデーションディッチは長楕円槽１の中央部分に長手方向に沿って隔壁２が設置され、前記槽１の曲部に隔壁２に近接して縦型エアレータ３が設置されており、エアレータの回転運動により槽１内に流入された被処理水を槽壁と隔壁２で形成される水路をエアレータの回転方向に沿って還流させながら曝気処理を行い、浄化された水は槽１に設けた越流堰４から沈殿槽へと排出される下水処理設備である。
【０００３】
上記設備で使用する公知の縦型エアレータ３の構造を図４〜図７に示す。
エアレータ３はモータ５、減速機６、縦軸７の先端部に等間隔に配設した８枚の撹拌羽根８、８・・、各撹拌羽根８、８間に中央の縦軸７の周りに通水口９を形成するようにコーン状板１０、１０・・を配設してなるインペラ１１から構成されており、前記槽１の曲部天井部の架台１２上に設置されている。
なお、各撹拌羽根、８、８・・は図５、図７に示すように先端部が回転方向側くの字状に１３５度傾斜した斜面部８aを形成している。
【０００４】
縦型エアレータ３を図３における矢印方向（反時計方向）に回転駆動させると、長楕円槽１内の混合液はインペラ１１によるポンプ作用により揚水される。揚水された混合液の一部はコーン状板１０の中央部縦軸７の周りの通水口９を通り抜けて放射状に設けられたコーン状板１０の上部分の撹拌羽根８1により加速さ れ、大気中に吐出される。また、前記揚水された混合液の他方はコーン状板１０下面に沿って流動されながらコーン状板１０下部分の撹拌羽根８2により加速さ れて大気中に吐出される。
【０００５】
大気中に吐出された混合液は空気と衝突接触し、再び槽１内に戻り螺旋状旋回流が生じる。上記の過程で空気中の酸素が効率よく混合液に溶解するとともに槽１内上下の十分な撹拌および混合がなされる。また、螺旋状旋回流はインペラ１１に近接して設置されている隔壁２に堰止められてその流れは水路部Ｆに反らされる。一方反対側の水路部Ｆ´では水路Ｆに押し出された水量に見合う水量がイ ンペラの撹拌部に吸い込まれて補われる。かくして、一方における増圧と他方における引圧により槽１内に循環流が生起され効率よく曝気が行なわれる。
【０００６】
しかしながら、上記のオキシデーションディッチの運転に際し、上記循環流の流れが比較的遅い箇所に特別な条件下において活性汚泥が沈積する場合がある。そして、一旦該汚泥の沈積が生じると同一方向の流れでは汚泥の巻き上げを起こす流速まで流れを速めることは困難であるため、汚泥の沈積を解消することができない。従来はこの沈積汚泥が腐敗した場合臭気を放つ原因になっていた。
【０００７】
【発明が解決しようとする課題】
本発明は、オキシデーションディッチの槽底に活性汚泥の沈積が生じた場合、これを簡単に解消する方法と該方法を実施する装置を提供することを目的とする。
【０００８】
【課題を解決するための手段】
オキシデーションディッチの曲部箇所の隔壁に近接して設置される縦型のオキシデーションディッチ用エアレータにおいて、該エアレータは正逆回転可能であって、該エアレータのインペラの撹拌羽根は、該撹拌羽根の先端部がインペラの回転方向に向かう断面くの字状斜面部に加えて、前記インペラの回転方向と反対方向に向かって斜面部を設けて、断面Ｙ字状に形成されていることを特徴とするものである。
【０００９】
【発明の実施の形態】
本発明にかかるインペラの実施の形態について図１〜２により説明する。図１は本発明にかかるインペラの斜視図、図２は撹拌羽根の一部断面図である。なお、前述の公知のインペラ１０と同一部品には同一符号を付している。
本発明にかかるインペラは公知のインペラ同様縦軸７の先端部に８枚の撹拌羽根８、８・・が等間隔に配設され、各撹拌羽根８、８間に中央の縦軸７の周りに通水口９を形成するようにコーン状板１０、１０・・が配設されている。公知のインペラと相違するところは、撹拌羽根８の形状が相違するだけである。
【００１０】
即ち、本発明にかかる撹拌羽根は、撹拌羽根の先端部が、図１、図２に示すように、インペラの回転方向に向う断面くの字状斜面部８aに加えて、インペラの 回転方向と反対方向に向かって斜面部８bを設けて断面がＹ状の撹拌羽根に形成 したことである。斜面部８bの傾斜角は斜面部８a同様１３５度の角度を付けている。
【００１１】
次に本発明の作用について説明する。
何等かの原因によって汚泥の沈積が認められた場合、エアレータの逆転運転を行なう。インペラの撹拌羽根が、正逆両用に対応できるように形成されているので混合液の循環流が逆流し始めることにより沈積汚泥の巻き上げが行なわれる。汚泥の巻き上げが行なわれて沈積汚泥が無くなればエアレータを正常運転に戻して再び曝気処理が行なわれる。
【００１２】
【発明の効果】
本発明は何等かの原因で槽１内に活性汚泥の沈積が発生しても、エアレータを逆転運転させてることにより循環流の流れを逆流させて沈積汚泥を巻き上がらせることができるので、活性汚泥の沈積を防止し、混合液中の活性汚泥濃度を安定させた水処理運転が可能となり、水処理性能の向上に寄与できる。
なお、従来のエアレータは、オキシデーションディッチの循環流の流れ方向が時計方向か反時計方向かによって、それぞれに対応する２種類用意しなければならなかったが、本発明にかかるエアレータは循環流の流れ方向がいずれでも適応できる効果を奏する。
【図面の簡単な説明】
【図１】本発明にかかるエアレータのインペラの１実施態様を示す斜視図。
【図２】本発明にかかるインペラの一部断面図。
【図３】オキシデーションディッチの概略説明図。
【図４】公知のエアレータの説明図。
【図５】公知のインペラの斜視図。
【図６】図４におけるＡ−Ａ矢視図。
【図７】図６におけるＢーＢ断面図。
【符号の説明】
１    長楕円槽        ２    隔壁            ２´   整流壁
３    縦型エアレータ  ４    越流堰          ５    モータ
６    減速機          ７    縦軸            ８    撹拌羽根
９    通水口        １０    コーン状板    １１    インペラ
１２    架台        Ｆ、Ｆ´   水路
【図１】
0003908365.tif 000002
【図２】
0003908365.tif 000003
【図３】
0003908365.tif 000004
【図４】
0003908365.tif 000005
【図５】
0003908365.tif 000006
【図６】
0003908365.tif 000007
【図７】
0003908365.tif 000008